(57)【特許請求の範囲】
【請求項１】
シックハウス症の原因となる汚染物質の吸収能力の高い藻類の単体または数種を混合して大量培養したものを回収し、ペースト状にしたものを、住宅の床、天井または壁に塗布して、室内の空気中のシックハウス症の原因となる汚染物質を吸収させるようにしたことを特徴とする室内の空気汚染物質除去方法。
【請求項２】
前記藻類として、アナベナ・トルロサ(Anabaena torulosa) 、アファノセケ・ハロフィチカ(Aphanothece halophytica) 、オッシラトリア・リムネチカ(Oscillatoria limnetica)、スピルリナ・スブサルサ(Spirulina subsalsa)、ミクロコレス・クソノプラステス(Microcoleus chthonoplastes)、ベスチェロプシス・プロリフィカ(Westiellopsis prolifica) 、トリポスリックス・セイロニカ(Tolypothrix ceylonica) 、フォルミジウム・ルリドム(Phormidium luridum)、ノストック・コムネ(Nostoc commune)、アナベナ・スファエリカ(Anabaena sphaerica)、カロスリックス・クルスタセア(Calothrix crustacea) 、スピルリナ・マジョール(Spirulina major) 、オッシラトリア・リモサ(Oscillatoria limosa) 、リングビア・コンフェルボイデス(Lyngbya confervoides)、シンプロカ・ラエテ−ビリディス(Symploca laete-viridis)、ヒドロコレウム・メネグヒニアヌム(Hydrocoleum meneghinianum) 、プレクトネマ・ハンスギルギ(Plectonema hansgirgi)、トリポスリックス・フラギリス(Tolypothrix fragilis)、スキトネマ・ジャバリキュム(Scytonema javanicum) 、ディコスリックス・バウエリアナ(Dichothrix baueriana)、リブラリア・ブラタ(Rivularia bullata) 、ハパロシホン・フォンチナリス(Hapaloshiphon fontinalis)、ベスチェロプシス・プロリフィカ(Westiellopsis  prolifica)から選択される藍藻類とするか、スコチェロプシス・テレストリス(Scotiellopsis terrestris)、クロロコッカム・エキノチゴツム(Chlorococcum echinozygotum)、ミルメキア・ビアトレラエ(Myrmecia biatorellae)、ディクチオクロロプシス・レチキュラテ(Dictyochloropsis reticulate) 、クロレラ・ブルガリス(Chlorella vulgaris)、アパトコッカス・ロバツス(Apatococcus lobatus) 、クロレラ・ピレノイドサ(Cholorella pyrenoidosa)から選択される緑藻類としたことを特徴とする請求項１記載の室内の空気汚染物質除去方法。
【発明の詳細な説明】
【発明の属する技術分野】
【０００１】
この発明は、住宅建材や家具などから発生する室内の空気汚染物質を除去する方法に関するものである。
【従来の技術】
【０００２】
最近の新築住宅は、建物そのものが塩化ビニール樹脂や合板などの住宅建材で造られている。そのため、これらの住宅建材から発生する汚染物質により、室内の空気が汚染され、そこで暮らすうちに徐々に人体の健康が蝕まれていく。特に、新築直後やリフォーム後は、汚染物質の濃度が高いため、頭痛、発熱、咳、嘔吐、アトピー性皮膚炎、眼病、自立神経失調症など様々な病気（一般に「シックハウス症」と言われている）になる。
【０００３】
このようなシックハウス症の原因となる汚染物質としては、住宅の床、天井、壁などの合板から発生するホルムアルデヒド、塩化ビニール樹脂の原料である塩化ビニールモノマー、塗料や接着剤の溶剤であるフタル酸化合物、テトラクロロエチレン、トリクロロエチレン、さらにはシロアリ駆除剤、殺虫剤、防ダニ剤、木材防腐剤に含まれるペルメトリンなどである。
【０００４】
しかしながら、現在、効果的なシックハウス症の予防対策はなく、できるだけ窓を開け放つ、あるいは換気扇を回すなどして、空気が滞らないようにするしかないのが現状である。
【発明が解決しようとする課題】
【０００５】
そこで、この発明は、藻類を利用して、住宅建材や家具などから発生する汚染物質を有効に吸収することのできる室内の空気汚染物質除去方法を提供し、効果的なシックハウス症の予防対策を施すことを目的としてなされたものである。
【課題を解決するための手段】
【０００６】
この発明の室内の空気汚染物質除去方法は、シックハウス症の原因となる汚染物質の吸収能力の高い藻類の単体または数種を混合して大量培養したものを回収し、ペースト状にしたものを、住宅の床、天井または壁に塗布して、室内の空気中のシックハウス症の原因となる汚染物質を吸収させるようにしている。
【０００７】
この発明で用いられる藻類としては、汚染物質の吸収能力の高いものであれば特に限定されないが、例えば藍藻類や緑藻類では、次のものを挙げることができる。藍藻類では、アナベナ・トルロサ(Anabaena torulosa) 、アファノセケ・ハロフィチカ(Aphanothece halophytica) 、オッシラトリア・リムネチカ(Oscillatoria limnetica)、スピルリナ・スブサルサ(Spirulina subsalsa)、ミクロコレス・クソノプラステス(Microcoleus chthonoplastes)、ベスチェロプシス・プロリフィカ(Westiellopsis prolifica) 、トリポスリックス・セイロニカ(Tolypothrix ceylonica) 、フォルミジウム・ルリドム(Phormidium luridum)、ノストック・コムネ(Nostoc commune)、アナベナ・スファエリカ(Anabaena sphaerica)、カロスリックス・クルスタセア(Calothrix crustacea) 、スピルリナ・マジョール(Spirulina major) 、オッシラトリア・リモサ(Oscillatoria limosa) 、リングビア・コンフェルボイデス(Lyngbya confervoides)、シンプロカ・ラエテ−ビリディス(Symploca laete-viridis)、ヒドロコレウム・メネグヒニアヌム(Hydrocoleum meneghinianum) 、プレクトネマ・ハンスギルギ(Plectonema hansgirgi)、トリポスリックス・フラギリス(Tolypothrix fragilis)、スキトネマ・ジャバリキュム(Scytonema javanicum) 、ディコスリックス・バウエリアナ(Dichothrix baueriana)、リブラリア・ブラタ(Rivularia bullata) 、ハパロシホン・フォンチナリス(Hapaloshiphon fontinalis)、ベスチェロプシス・プロリフィカ(Westiellopsis  prolifica)などである。緑藻類では、スコチェロプシス・テレストリス(Scotiellopsis terrestris)、クロロコッカム・エキノチゴツム(Chlorococcum echinozygotum)、ミルメキア・ビアトレラエ(Myrmecia biatorellae)、ディクチオクロロプシス・レチキュラテ(Dictyochloropsis reticulate) 、クロレラ・ブルガリス(Chlorella vulgaris)、アパトコッカス・ロバツス(Apatococcus lobatus) 、クロレラ・ピレノイドサ(Cholorella pyrenoidosa)などである。
【０００８】
さらに、この発明で用いられる藻類は、住宅の床や天井の場合には、床仕上材や天井仕上材の下に塗布したり、壁の場合には、壁紙を壁面に貼り付けるとき、この壁紙と壁面の間に塗布するなどすればよい。藻類の大量培養は、例えばタンク培養装置、レースウェイ培養装置、円形培養装置、チューブ培養装置などで行う。
【実施例】
【０００９】
以下、この発明の室内の空気汚染物質除去方法を実施例に基づいて、詳細に説明する。
【００１０】
（実施例１）
先ず、藍藻類のスピルリナ・マジョール(Spirulina major) を、直径１ｍ、高さ１．５ｍの５トン容の円形タンク培養装置で培養した。培養液は、水１リットル当たり硝酸カルシウム四水和物５０ｍｇ、硝酸カリウム０．１ｇ、硝酸ナトリウム５０ｍｇ、硫酸ナトリウム４０ｍｇ、塩化マグネシウム六水和物５０ｍｇ、β−グリセロリン酸二ナトリウム０．１ｇ、エチレンジアミン四酢酸四ナトリウム四水和物５ｍｇ、塩化鉄六水和物０．５ｍｇ、塩化マンガン四水和物５ｍｇ、塩化亜鉛０．５ｍｇ、塩化コバルト六水和物５ｍｇを含有するように調製した。光源は、蛍光灯照射とした。タンク底部から０．５％の二酸化炭素を含む空気を１００リットル／分の割合で吹き込んだ。タンク内は攪拌棒で攪拌し、藻体濃度を均一に保った。培養開始１０日後、１０トンの培養液を遠心分離し、水分量約８０％となるペースト状とした汚染物質の吸収能力を高い藻類を用意した。
【００１１】
次に、ホルムアルデヒドの放散濃度が空気１リットル当たり３８．４ｐｐｂの住宅の天井および壁に、前記藻類を２５ｇ／ｍ2 塗布した。そして、塗布直後、１週間後、２週間後の室内のホルムアルデヒドの放散濃度を測定した。測定結果を表１に示す。
【００１２】
【表１】
0003559991.tif 000002
表１に示したように、この発明の室内の空気汚染物質除去方法の実施により、２週間後の室内のホルムアルデヒドの放散濃度は、当初の３８．４ｐｐｂから１５．３ｐｐｂとなり、約６０％のホルムアルデヒドを除去することができた。
【００１３】
（実施例２）
先ず、藍藻類のフォルミジウム・ルリドム(Phormidium luridum)を、直径２ｍ、高さ３ｍの１０トン容の円形タンク培養装置で培養した。培養液は、水１リットル当たり硝酸カルシウム四水和物５０ｍｇ、硝酸カリウム０．３ｇ、硝酸ナトリウム７０ｍｇ、硫酸ナトリウム６０ｍｇ、塩化マグネシウム六水和物４０ｍｇ、β−グリセロリン酸二ナトリウム０．２ｇ、エチレンジアミン四酢酸四ナトリウム四水和物５ｍｇ、塩化鉄六水和物０．５ｍｇ、塩化マンガン四水和物５ｍｇ、塩化亜鉛０．５ｍｇ、塩化コバルト六水和物５ｍｇを含有するように調製した。光源は、蛍光灯照射とした。タンク底部から０．５％の二酸化炭素を含む空気を１００リットル／分の割合で吹き込んだ。タンク内は攪拌棒で攪拌し、藻体濃度を均一に保った。培養開始１０日後、１０トンの培養液を遠心分離し、水分量約７８％となるペースト状とした汚染物質の吸収能力を高い藻類を用意した。
【００１４】
次に、ホルムアルデヒドの放散濃度が空気１リットル当たり５７．４ｐｐｂの住宅の天井および壁に、前記藻類を２０ｇ／ｍ2 塗布した。そして、塗布直後、１週間後、２週間後の室内のホルムアルデヒドの放散濃度を測定した。測定結果を表２に示す。
【００１５】
【表２】
0003559991.tif 000003
表２に示したように、この発明の室内の空気汚染物質除去方法の実施により、２週間後の室内のホルムアルデヒドの放散濃度は、当初の５７．４ｐｐｂから２７．４ｐｐｂとなり、約５２％のホルムアルデヒドを除去することができた。
【発明の効果】
【００１６】
この発明は、以上に述べたように構成されており、住宅建材や家具などから発生する汚染物質を有効に吸収することのできる室内の空気汚染物質除去方法を提供することができた。そして、この発明の室内の空気汚染物質除去方法によれば、効果的なシックハウス症の予防対策を施すことができる。